(57)【要約】      （修正有）【課題】ベースバンド伝送の通信帯域を超える高精細な映像データであっても、当該映像データを適切に送受信する映像送信装置、映像受信装置、映像送信方法及び映像受信方法を提供する。【解決手段】映像送信装置４（ＳＴＢ）は、ベースバンド伝送のための伝送ラインと、データ通信のための通信ラインとを含む通信ケーブルにより映像受信装置５と接続される通信インタフェースＩＦ１と、第１映像データを復号可能な映像符号化データを取得する取得部４５（ＬＡＮ送受信部）と、映像符号化データから、第２映像データと、復元用データとを生成するデータ処理部４１と、を備える。データ処理部４１は、第２映像データが伝送ラインにより伝送され、復元用データが通信ラインにより送信されるように、通信インタフェースＩＦ１に接続される。【選択図】図２
2016208397.tif 000002
【特許請求の範囲】
【請求項１】
ベースバンド伝送のための伝送ラインと、データ通信のための通信ラインとを含む通信ケーブルにより映像受信装置と接続される通信インタフェースと、
下記に定義する第１映像データを復号可能な映像符号化データを取得する取得部と、
前記映像符号化データから、下記に定義する第２映像データと、下記に定義する復元用データとを生成するデータ処理部と、を備えており、
前記データ処理部は、前記第２映像データが前記伝送ラインにより伝送され、前記復元用データが前記通信ラインにより送信されるように、前記通信インタフェースに接続されている映像送信装置。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【請求項２】
前記映像符号化データが非スケーラブルなデータである場合には、
前記データ処理部は、前記映像符号化データを復号して得られた前記第１映像データの空間解像度を低下させて前記第２映像データを生成し、当該第２映像データを高い方の空間解像度となるようにアップスケールした拡大映像データと前記第１映像データとの差分を符号化した差分符号化データを、前記復元用データとして採用する請求項１に記載に映像送信装置。
【請求項３】
前記映像符号化データが、低い方の空間解像度をベースレイヤとし、高い方の空間解像度を拡張レイヤとする空間スケーラブルなデータである場合には、
前記データ処理部は、前記ベースレイヤの符号化データを復号して前記第２映像データを生成し、前記拡張レイヤの符号化データを前記復元用データとして採用する請求項１に記載に映像送信装置。
【請求項４】
前記データ処理部は、前記復元用データの符号化に関する属性情報を、前記第２映像データのブランキング期間に埋め込む請求項１〜請求項３のいずれか１項に記載の映像送信装置。
【請求項５】
ベースバンド伝送のための伝送ラインと、データ通信のための通信ラインとを含む通信ケーブルにより映像送信装置と接続される通信インタフェースと、
前記伝送ラインから受信した下記に定義する第２映像データと、前記通信ラインから受信した下記に定義する復元用データとが入力されるデータ処理部と、を備えており、
前記データ処理部は、下記に定義する第１映像データを、前記復元用データを用いて前記第２映像データから復元するように構成されている映像受信装置。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【請求項６】
前記復元用データが、前記第２映像データを高い方の空間解像度となるようにアップスケールした拡大映像データと前記第１映像データとの差分を符号化した差分符号化データである場合には、
前記データ処理部は、前記差分符号化データを復号して得られた前記差分と前記第２映像データとから、前記第１映像データを復元する請求項５に記載の映像受信装置。
【請求項７】
前記データ処理部は、有効な前記復元用データがある場合は、前記第２映像データから復元した前記第１映像データを表示用の映像データとして出力し、有効な前記復元用データがない場合は、前記第２映像データを表示用の映像データとして出力する請求項５又は請求項６に記載の映像受信装置。
【請求項８】
前記データ処理部は、前記第１映像データを表示用の映像データとして出力している途中に、前記復元用データの欠損又は前記第２映像データとの同期ずれを検出した場合に、前記第２映像データを高い方の空間解像度となるようにアップスケールした拡大映像データデータを、表示用の映像データに切り替える請求項５〜請求項７のいずれか１項に記載のる映像受信装置。
【請求項９】
ベースバンド伝送のための伝送ラインと、データ通信のための通信ラインとを含む通信ケーブルにより映像受信装置と接続される通信インタフェースを備える、映像送信装置が行う方法であって、
下記に定義する第１映像データを復号可能な映像符号化データを取得するステップと、
前記映像符号化データから、下記に定義する第２映像データと、下記に定義する復元用データとを生成するステップと、
前記第２映像データを前記伝送ラインにより伝送し、前記復元用データを前記通信ラインにより送信するステップと、を含む映像送信方法。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【請求項１０】
ベースバンド伝送のための伝送ラインと、データ通信のための通信ラインとを含む通信ケーブルにより映像送信装置と接続される通信インタフェースを備える、映像受信装置が行う方法であって、
前記伝送ラインから受信した下記に定義する第２映像データと、前記通信ラインから受信した下記に定義する復元用データとをデータ処理部に入力するステップと、
前記データ処理部が、下記に定義する第１映像データを、前記復元用データを用いて前記第２映像データから復元するステップと、を含む映像受信方法。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【発明の詳細な説明】
【技術分野】
【０００１】
本発明は、映像送信装置、映像受信装置、映像送信方法及び映像受信方法に関する。具体的には、本発明は、８Ｋなどの高精細な映像データの伝送技術に関する。
【背景技術】
【０００２】
映像及び音声データをベースバンド伝送する通信インタフェースの標準規格として、ＨＤＭＩ（High-Definition Multimedia Interface：「ＨＤＭＩ」は登録商標である。）が知られている。ベースバンドとは「非圧縮」のことを意味する。
ＨＤＭＩでは、３つのチャンネルを用いて映像及び音声データがベースバンド伝送される。映像データには、音声データ及び各種の制御に用いる制御データなどが時間軸で多重される（例えば、特許文献１参照）。
【０００３】
一方、次世代のデジタル放送システムとして、８Ｋスーパーハイビジョン（ＳＨＶ）の実現に向けた研究開発が行われている。８ＫＳＨＶを含む超高精細度テレビジョン（ＵＨＤＴＶ：Ultra-High Definition Television）の映像信号のパラメータは、既に標準規格で定められている（非特許文献１参照）。
例えば、上記の標準規格において、８Ｋの画素数（水平×垂直）は７６８０×４３２０と定められ、４Ｋの画素数は３８４０×２１６０と定められている。
【先行技術文献】
【特許文献】
【０００４】
【特許文献１】特開２０１１−１７６５２６号公報
【非特許文献】
【０００５】
【非特許文献１】ＡＲＩＢ  ＳＴＤ−Ｂ５６  １．０版
【発明の概要】
【発明が解決しようとする課題】
【０００６】
８Ｋ映像データをベースバンドにより伝送する場合には、１０Ｇｂｐｓのシリアルインタフェースが少なくとも６本必要であり、最大では２４本のシリアルインタフェースが必要となる。
しかし、ＨＤＭＩでは、最新のバージョン２．０においても最大で６．０Ｇｂｐｓ×３チャンネル分の伝送量しかない。このため、８Ｋ映像データをＨＤＭＩケーブルによってベースバンド伝送するには、複数本のＨＤＭＩケーブルが必要となる。
【０００７】
映像の送信装置と受信装置を複数本のＨＤＭＩケーブルで接続するとなると、ユーザーによるケーブル接続の手間が煩雑になるし、送信装置と受信装置の双方にＨＤＭＩの通信インタフェースを複数搭載する必要があり、コストが高くなるという欠点がある。
また、伝送速度を高速化する新規格がＨＤＭＩの新バージョンにおいて導入されることも考えられるが、高速化に伴って通信ケーブルのライン数やカプラ形状などが変更になる場合には、レガシーの通信インタフェースとの互換性が問題になる。
【０００８】
本発明は、かかる従来の問題点に鑑み、ベースバンド伝送の通信帯域を超える高精細な映像データであっても、当該映像データを適切に送受信することができる映像送信装置及び映像受信装置を提供することを目的とする。
【課題を解決するための手段】
【０００９】
（１）  本発明の一態様に係る映像送信装置は、ベースバンド伝送のための伝送ラインと、データ通信のための通信ラインとを含む通信ケーブルにより映像受信装置と接続される通信インタフェースと、下記に定義する第１映像データを復号可能な映像符号化データを取得する取得部と、前記映像符号化データから、下記に定義する第２映像データと、下記に定義する復元用データとを生成するデータ処理部と、を備えており、前記データ処理部は、前記第２映像データが前記伝送ラインにより伝送され、前記復元用データが前記通信ラインにより送信されるように、前記通信インタフェースに接続されている。
【００１０】
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【００１１】
（５）  本発明の一態様に係る映像受信装置は、ベースバンド伝送のための伝送ラインと、データ通信のための通信ラインとを含む通信ケーブルにより映像送信装置と接続される通信インタフェースと、前記伝送ラインから受信した上記に定義する第２映像データと、前記通信ラインから受信した上記に定義する復元用データとが入力されるデータ処理部と、を備えており、前記データ処理部は、上記に定義する第１映像データを、前記復元用データを用いて前記第２映像データから復元するように構成されている。
【００１２】
（９）  本発明の一態様に係る映像送信方法は、ベースバンド伝送のための伝送ラインと、データ通信のための通信ラインとを含む通信ケーブルにより映像受信装置と接続される通信インタフェースを備える、映像送信装置が行う方法であって、上記に定義する第１映像データを復号可能な映像符号化データを取得するステップと、前記映像符号化データから、上記に定義する第２映像データと、上記に定義する復元用データとを生成するステップと、前記第２映像データを前記伝送ラインにより伝送し、前記復元用データを前記通信ラインにより送信するステップと、を含む。
【００１３】
（１０）  本発明の一態様に係る映像受信方法は、ベースバンド伝送のための伝送ラインと、データ通信のための通信ラインとを含む通信ケーブルにより映像送信装置と接続される通信インタフェースを備える、映像受信装置が行う方法であって、前記伝送ラインから受信した上記に定義する第２映像データと、前記通信ラインから受信した上記に定義する復元用データとをデータ処理部に入力するステップと、前記データ処理部が、上記に定義する第１映像データを、前記復元用データを用いて前記第２映像データから復元するステップと、を含む。
【発明の効果】
【００１４】
本発明によれば、ベースバンド伝送の通信帯域を超える高精細な映像データであっても、当該映像データを適切に送受信することができる。
【図面の簡単な説明】
【００１５】
【図１】本実施形態に係る映像配信システムの一例を示す全体構成図である。
【図２】セットトップボックスの内部構成の一例を示すブロック図である。
【図３】テレビ受像機の内部構成の一例を示すブロック図である。
【図４】ソース側の映像信号処理部の一例を示すブロック図である。
【図５】シンク側の映像信号処理部の一例を示すブロック図である。
【図６】ヘッドエンドの空間階層符号化部の一例を示すブロック図である。
【図７】ソース側の映像信号処理部の変形例を示すブロック図である。
【図８】ソース側の映像信号処理部の他の変形例を示すブロック図である。
【図９】ソース側の映像信号処理部の更に他の変形例を示すブロック図である。
【発明を実施するための形態】
【００１６】
＜本発明の実施形態の概要＞
以下、本発明の実施形態の概要を列記して説明する。
（１）  本実施形態の映像送信装置は、ベースバンド伝送のための伝送ラインと、データ通信のための通信ラインとを含む通信ケーブルにより送信先と接続される通信インタフェースと、下記に定義する第１映像データを復号可能な映像符号化データを取得する取得部と、前記映像符号化データから、下記に定義する第２映像データと、下記に定義する復元用データとを生成するデータ処理部と、を備えている。
【００１７】
本実施形態の映像送信装置では、前記データ処理部は、前記第２映像データが前記伝送ラインにより伝送され、前記復元用データが前記通信ラインにより送信されるように、前記通信インタフェースに接続されている。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【００１８】
本実施形態の映像送信装置によれば、第２映像データが伝送ラインにより伝送されるので、第２映像データの空間解像度を適切に設定することにより、第２映像データを映像受信装置にベースバンド伝送することができる。
また、第２映像データから第１映像データを復元するのに用いる符号化データである復元用データが通信ラインにより送信されるので、第１映像データの復元に必要な情報を映像受信装置に送信することができる。
【００１９】
このため、映像受信装置が第２映像データと復元用データを用いて第１映像データを復元することにより、映像受信装置は結果的に第１映像データを取得することができる。
従って、例えば前述の８Ｋのように、ベースバンド伝送の通信帯域を超えるほどに空間解像度が高い第１映像データであっても、当該映像データを適切に映像受信装置に送信することができる。
【００２０】
（２）  本実施形態の映像送信装置において、前記映像符号化データが非スケーラブルなデータである場合には、前記データ処理部は、前記映像符号化データを復号して得られた前記第１映像データの空間解像度を低下させて前記第２映像データを生成すればよい。
この場合、前記データ処理部は、当該第２映像データを高い方の空間解像度となるようにアップスケールした拡大映像データと前記第１映像データとの差分を符号化した差分符号化データを、前記復元用データとして採用することが好ましい。
【００２１】
このようにすれば、第１映像データを符号化した符号化データを復元用データとして採用する場合に比べて、通信ラインを用いたデータ通信量を削減することができる。
すなわち、拡大映像データと第１映像データとの差分を符号化（圧縮）したデータは、第１映像データをそのまま符号化したデータよりもデータ量が圧倒的に少なくなる。このため、通信ラインを利用した復元用データの送信をほぼ確実に行うことができる。
【００２２】
（３）  本実施形態の映像送信装置において、前記映像符号化データが、低い方の空間解像度をベースレイヤとし、高い方の空間解像度を拡張レイヤとする空間スケーラブルなデータである場合には、前記データ処理部は、前記ベースレイヤの符号化データを復号して前記第２映像データを生成すればよい。
【００２３】
この場合、前記データ処理部は、前記拡張レイヤの符号化データを前記復元用データとして採用すればよい。
その理由は、拡張レイヤの符号化データを復元用データとして映像受信装置に送信すれば、当該拡張レイヤの符号化データを復号して得られる差分を第２映像データに加算することにより、映像受信装置が第１映像データを復元できるようになるからである。
【００２４】
（４）  本実施形態の映像送信装置において、前記データ処理部は、前記復元用データの符号化に関する属性情報（例えば、圧縮方式、画素数、画素ブロックの色数、画素ブロックの文字／非文字の区別情報）を、前記第２映像データのブランキング期間に埋め込むことが好ましい。
このようにすれば、属性情報を通信ラインにより送信する場合に比べて、通信ラインを用いたデータ通信の通信帯域の圧迫を抑制することができる。
【００２５】
（５）  本実施形態の映像受信装置は、ベースバンド伝送のための伝送ラインと、データ通信のための通信ラインとを含む通信ケーブルにより送信元と接続される通信インタフェースと、前記伝送ラインから受信した下記に定義する第２映像データと、前記通信ラインから受信した下記に定義する復元用データとが入力されるデータ処理部と、を備えている。
【００２６】
本実施形態の映像受信装置では、前記データ処理部は、下記に定義する第１映像データを、前記復元用データを用いて前記第２映像データから復元するように構成されている。
第１映像データ：空間解像度が高い方のデジタル画像を含む映像データ
第２映像データ：空間解像度が低い方のデジタル画像を含む映像データ
復元用データ：第２映像データから第１映像データを復元するのに用いる符号化データ
【００２７】
本実施形態の映像受信装置によれば、データ処理部が、復元用データを用いて第２映像データから第１映像データを復元するので、第１映像データを伝送ラインからベースバンドで受信しなくても、結果的に第１映像データを取得することができる。
従って、例えば前述の８Ｋのように、ベースバンド伝送の通信帯域を超えるほどに空間解像度が高い第１映像データであっても、当該映像データを適切に映像送信装置から取得することができる。
【００２８】
（６）  本実施形態の映像受信装置において、前記復元用データが、前記第２映像データを高い方の空間解像度となるようにアップスケールした拡大映像データと前記第１映像データとの差分を符号化した差分符号化データである場合には、前記データ処理部は、前記差分符号化データを復号して得られた前記差分と前記第２映像データとから、前記第１映像データを復元することが好ましい。
このようにすれば、第２映像データをアップスケールした拡大映像データに上記の差分を加算することにより、第１映像データを比較的簡便に復元することができる。
【００２９】
（７）  本実施形態の映像受信装置において、有効な前記復元用データがある場合は、前記第２映像データから復元した前記第１映像データを表示用の映像データとして出力し、有効な前記復元用データがない場合は、前記第２映像データを表示用の映像データとして出力することが好ましい。
このようにすれば、復元用データがないために第１映像データを出力できない場合に、第２映像データをディスプレイなどに表示させることができる。
【００３０】
（８）  本実施形態の映像受信装置において、前記データ処理部は、前記第１映像データを表示用の映像データとして出力している途中に、前記復元用データの欠損又は前記第２映像データとの同期ずれを検出した場合に、前記第２映像データを高い方の空間解像度となるようにアップスケールした拡大映像データを、表示用の映像データに切り替えることが好ましい。
このようにすれば、第１映像データを急に表示できなくなった場合でも、第２映像データの拡大映像データを表示させて映像の途切れを防止できるようになる。
【００３１】
（９）  本実施形態の映像送信方法は、上述の（１）〜（４）に記載の映像送信装置が実行する方法である。
従って、本実施形態の映像送信方法は、上述の（１）〜（４）に記載の映像送信装置と同様の作用効果を奏する。
【００３２】
（１０）  本実施形態の映像受信方法は、上述の（５）〜（８）に記載の映像受信装置が実行する方法である。
従って、本実施形態の映像受信方法は、上述の（５）〜（８）に記載の映像受信装置と同様の作用効果を奏する。
【００３３】
＜本発明の実施形態の詳細＞
以下、図面を参照して、本発明の実施形態の詳細を説明する。以下に記載する実施形態の少なくとも一部を任意に組み合わせてもよい。
なお、以下の実施形態（変形例を含む。）において、映像及び音声データなどを情報源符号化する場合の「符号化」には、同等のものを出来るだけ少ないデータ量で表現するという意味での「圧縮」が含まれるものとする。
【００３４】
〔映像配信システムの全体構成〕
図１は、本発明の実施形態に係る映像配信システムの一例を示す全体構成図である。
図１に示すように、本実施形態の映像配信システムは、ヘッドエンド１が、地上デジタル放送及びＢＳデジタル放送の少なくとも１つを受信し、受信した放送信号を復調して得られる映像、音声及び文字などを情報源とする情報源符号化データを、有線伝送により加入者宅に配信するシステムである。
【００３５】
本実施形態の情報源符号化データには、空間解像度が８Ｋ（水平7680×垂直4320）である画像データが１秒当たり６０枚又は１２０枚含まれる映像（動画）データを、所定の方式で符号化したデータ（以下、「８Ｋ符号化データ」という。）が含まれる。
なお、８Ｋの映像符号化方式の標準規格は未定であるが、例えば、Ｈ．２６５／ＨＥＶＣ（High Efficiency Video Coding）などの、従来よりも高画質及び高効率の動画圧縮方式を採用すればよいと考えられる。
【００３６】
本実施形態の映像配信システムは、通信事業者の配信拠点である建物に設置されたヘッドエンド１及び光回線終端装置（ＯＬＴ）２を備える。
また、本実施形態の映像配信システムは、加入者宅に設置された光回線終端装置（ＯＮＵ）３、セットトップボックス４及びテレビ受像機５を備える。
【００３７】
通信事業者の配信拠点において、ヘッドエンド１は、複数本の同軸ケーブル６などにより光回線終端装置２に接続されている。配信拠点の光回線終端装置２は、例えば１芯の光ファイバ７により加入者宅の光回線終端装置３に接続されている。
加入者宅において、ＯＮＵ３は、ＬＡＮ（Local Area Network）ケーブル８などによりセットトップボックス４に接続されている。セットトップボックス４は、ＨＤＭＩケーブル９によりテレビ受像機５に接続されている。
【００３８】
ヘッドエンド１は、放送信号の復調信号から情報源符号化データを抽出し、抽出した情報源符号化データを伝送路符号化してＯＬＴ２に送信する。
ＯＬＴ２は、複数の加入者宅のＯＮＵ３とＰＯＮ（Passive Optical Network）システムを構成している。すなわち、ＯＬＴ２は、受動光分岐ノードによって分岐する複数本の光ファイバ７を介して、複数のＯＮＵ３とＰ２ＭＰ（Point To Multipoint）形態で接続されている。
【００３９】
ＯＬＴ２は、ヘッドエンド１から受信した伝送路符号化データを復号して情報源符号化データを再生する。ＯＬＴ２は、再生した情報源符号化データをＰＯＮの通信規格に従う下りフレームに格納し、その下りフレームを光信号に変換してＯＮＵ３に伝送する。
ＯＮＵ３は、受信した下りフレームから情報源符号化データを取り出す。ＯＮＵ３は、取り出した情報源符号化データをＬＡＮの通信規格に従う下りフレームに格納し、その下りフレームを電気信号に変換してセットトップボックス４に伝送する。
【００４０】
セットトップボックス４は、受信した下りフレームに含まれる情報源符号化データを復号して映像及び音声データを再生し、再生した映像及び音声データをＨＤＭＩケーブル９によりベースバンドでテレビ受像機５に伝送する。
テレビ受像機５は、セットトップボックス４から受信した映像及び音声データに基づいて、自機のディスプレイ５５及びスピーカ５６（図３参照）を駆動する。これにより、デジタル放送の加入者は、放送されたコンテンツを視聴することができる。
【００４１】
上記の通り、セットトップボックス４及びテレビ受像機５は、ＨＤＭＩケーブル９により互いに接続されている。
このうち、セットトップボックス４は、ＨＤＭＩ信号などのＡＶ信号を出力する送信装置（ソース機器）として機能し、テレビ受像機５は、ＨＤＭＩ信号などのＡＶ信号を受信する受信装置（シンク機器）として機能する。
【００４２】
〔セットトップボックスからテレビ受像機へのベースバンド伝送の問題点と解決策〕
８Ｋ映像データをベースバンドにより伝送する場合には、１０Ｇｂｐｓのシリアルインタフェースが少なくとも６本必要であり、最大では２４本のシリアルインタフェースが必要となる。
【００４３】
例えば、８Ｋ／１２０ＨｚのＳＨＶ信号を４：４：４フォーマットで１０Ｇマルチリンク信号にマッピングする場合は、サブイメージ数＝１２本、ベーシックストリーム数＝４８本となり、必要となる１０Ｇストリームの数は２４本となる。
８Ｋ／６０ＨｚのＳＨＶ信号を４：４：０フォーマットでマッピングする場合には、サブイメージ数＝６本、ベーシックストリーム数＝２４本となり、必要となる１０Ｇストリームの数は６本となる。
【００４４】
一方、ＨＤＭＩでは、最新のバージョン２．０においても最大で６．０Ｇｂｐｓ×３チャンネル分の伝送量しかない。このため、８Ｋ映像データをＨＤＭＩケーブル９によってベースバンド伝送するには、複数本のケーブルが必要となる。
例えば、セットトップボックス４とテレビ受像機５を複数のＨＤＭＩケーブル９で接続するとなると、ユーザーによるケーブル接続の手間が煩雑となり、送受信装置４，５の双方にＨＤＭＩの通信インタフェースが必要となり、コストが高くなる。
【００４５】
このため、複数本のＨＤＭＩケーブル９によって接続する方策では、映像データの高精細化の普及に悪影響が及ぶことが懸念される。
また、伝送速度を高速化する新規格がＨＤＭＩの新バージョンとして導入されることも考えられる。しかし、例えば、高速化に伴ってライン数やカプラ形状が変更になる場合には、レガシーのインタフェースとの互換性が問題になる。
【００４６】
そこで、本実施形態では、８Ｋ映像データを復号可能な８Ｋ符号化データから、空間解像度を落とした４Ｋ映像データと、４Ｋ映像データから８Ｋ映像データへの復元に用いる符号化データである復元用データを生成し、４Ｋ映像データを通常通りＴＭＤＳラインによりベースバンド伝送し、復元用データを通信ライン（例えばＨＥＡＣのＵｔｉｌｉｔｙライン）によりデータ送信する。
【００４７】
これにより、８Ｋ映像データのように、ベースバンド伝送の通信帯域を超えるほどに空間解像度が高い映像データであっても、当該映像データを適切に映像受信装置に送信できるようになる。
以下、かかる方策を採用するセットトップボックス４及びテレビ受像機５の具体的な構成例を説明する。
【００４８】
〔セットトップボックスの構成例〕
図２は、セットトップボックス４の内部構成の一例を示すブロック図である。
図２に示すように、本実施形態のセットトップボックス４は、データ処理部４１、ＨＤＭＩ送信部４２、ＨＥＡＣ送受信部４３、制御部４４及びＬＡＮ送受信部４５を備える。セットトップボックス４におけるＨＤＭＩの通信インタフェースＩＦ１は、ＨＤＭＩ送信部４２，ＨＥＡＣ送受信部４３及び制御部４４を含む。
【００４９】
ＬＡＮ送受信部４５は、例えばイーサネット（「イーサネット」は登録商標である。）フレームなどの、ＬＡＮの通信規格に従う通信フレームを送受信する通信インタフェースである。
ＬＡＮ送受信部４５は、ＯＮＵ３から受信した通信フレームから情報源符号化データＣｓを取り出し、取り出した情報源符号化データＣｓをデータ処理部４１に出力する。情報源符号化データＣｓの映像符号化データは、「８Ｋ符号化データ」よりなる。
【００５０】
データ処理部４１は、入力された情報源符号化データＣｓから、ＨＤＭＩ送信部４２により伝送可能な空間解像度（例えば４Ｋ）の映像データＤｖと音声データＤａを生成し、生成した映像データＤｖと音声データＤａをＨＤＭＩ送信部４２に出力する。
データ処理部４１は、入力された情報源符号化データＣｓから、４Ｋの映像データＤｖの空間解像度を８Ｋに戻すのに用いられる符号化データである復元用データＣｒを生成し、生成した復元用データＣｒをＨＥＡＣ送受信部４３に出力する。
【００５１】
データ処理部４１は、復元用データＣｒの属性情報を４Ｋの映像データＤｖのブランキング期間に埋め込む。このため、復元用データＣｒの属性情報については、ＨＤＭＩ送信部４２によりベースバンドでテレビ受像機５に伝送される。
なお、復元用データＣｒとして、ＭＰＥＧ（Moving Picture Experts Group）などで圧縮した符号化データを採用する場合には、属性情報には、圧縮方式、画素数、画素ブロックの色数、画素ブロックの文字／非文字の区別情報などの情報が含まれる。
【００５２】
ＨＤＭＩ送信部４２は、ＴＭＤＳ（Transition Minimized Differential Signaling）ライン及びＤＤＣ（Display Data Channel）ラインなどにより、テレビ受像機５のＨＤＭＩ受信部５２と接続されている。
ＨＤＭＩ送信部４２は、データ処理部４１から入力されたＲＧＢごとの映像データＤｖと音声データＤａをＴＭＤＳデータにビット変換し、ＴＭＤＳデータをパラレル／シリアル変換したシリアルデータ（ビットストリーム）をＨＤＭＩ受信部５２に伝送する。
【００５３】
ＤＤＣラインは、ＥＤＩＤ（Extended Display Identification Data）制御のための制御信号や、ＨＤＣＰ（High-bandwidth Digital Content Protection system）認証のための制御信号などを伝送するための信号線である。
【００５４】
ＨＥＡＣ（HDMI Ethernet and Audio return Channel）は、「ＨＤＭＩ  １．４」から導入されたＨＤＭＩの拡張機能である。すなわち、ＨＥＡＣ送受信部４３は、シンク側のＨＥＡＣ送受信部５３との１００ＢＡＳＥ−Ｔでの通信と、シンク側のＨＥＡＣ送受信部５３から逆送された音声データの受信とが可能である。
従って、ＨＥＡＣ送受信部４３は、データ処理部４１から入力された復元用データＣｒを、イーサネットフレームによりシンク側のＨＥＡＣ送受信部５３に伝送可能である。
【００５５】
制御部４４は、ＨＰＤ（Hot Plug Detect）ライン及びＣＥＣ（Consumer Electronics Line）ラインなどにより、テレビ受像機５の制御部５４（図３参照）と接続されている。
ＨＰＤラインは、シンク側との接続確認のための制御信号を伝送する信号線である。ＣＥＣラインは、ＨＤＭＩを採用する周辺機器と連携するための制御信号を伝送する信号線である。制御部４４は、内部バスにより自機のデータ処理部４１及びＨＤＭＩ送信部４２などの各部に接続され、各部を制御することができる。
【００５６】
図２のセットトップボックス４において、ＨＤＭＩ送信部４２、ＨＥＡＣ送受信部４３及び制御部４４よりなるＨＤＭＩの通信インタフェースＩＦ１は、ＨＤＭＩのバーション１．４以後の規格に則った通信インタフェースである。
かかる通信インタフェースＩＦ１では、ベースバンド伝送のための伝送ライン（ＴＭＤＳラインなど）と、データ通信のための通信ライン（例えば、ＨＥＡＣのＵｔｉｌｉｔｙライン：以下、「ＨＥＡＣライン」という。）を含むＨＤＭＩケーブル９により、データ送信先であるテレビ受像機５と接続される。
【００５７】
〔テレビ受像機の構成例〕
図３は、テレビ受像機５の内部構成の一例を示すブロック図である。
図３に示すように、本実施形態のテレビ受像機５は、データ処理部５１、ＨＤＭＩ受信部５２、ＨＥＡＣ送受信部５３、制御部５４、ディスプレイ５５及びスピーカ５６を備える。テレビ受像機５におけるＨＤＭＩの通信インタフェースＩＦ２は、ＨＤＭＩ受信部５２，ＨＥＡＣ送受信部５３及び制御部５４を含む。
【００５８】
ＨＤＭＩ受信部５２は、ＴＭＤＳライン及びＤＤＣラインなどにより、セットトップボックス４のＨＤＭＩ送信部４２と接続されている。
ＨＤＭＩ受信部５２は、ＨＤＭＩ送信部４２から受信したシリアルデータ（ビットストリーム）をシリアル／パラレル変換してＴＭＤＳデータを再生し、再生したＴＭＤＳデータを復号してＲＧＢごとの映像データＤｖと音声データＤａを再生する。ＨＤＭＩ受信部５２は、再生した映像データＤｖと音声データＤａをデータ処理部５１に出力する。
【００５９】
ＨＥＡＣ送受信部５３は、ソース側のＨＥＡＣ送受信部４３とのイーサネットフレームの送受信と、ソース側のＨＥＡＣ送受信部４３への音声データの逆送とが可能である。
ＨＥＡＣ送受信部５３は、ソース側のＨＥＡＣ送受信部４３から受信したイーサネットフレームに復元用データＣｒが含まれる場合には、その復元用データＣｒをイーサネットフレームから取り出して自機のデータ処理部５１に出力する。
【００６０】
データ処理部５１は、ＨＤＭＩ受信部５２から入力された映像データＤｖ（本実施形態では４Ｋ）と音声データＤａに基づいて、自機のディスプレイ５５及びスピーカ５６を駆動する。これにより、デジタル放送の加入者はコンテンツを視聴することができる。
データ処理部５１は、映像データＤｖのブランキング期間に復元用データＣｒの属性情報が含まれる場合には、この属性情報をメモリ（図示せず）に記憶させる。
【００６１】
データ処理部５１は、ＨＥＡＣ送受信部５３から復元用データＣｒが入力された場合は、メモリに記憶した属性情報に基づいて復元用データＣｒの復号処理などを行う。
その後、データ処理部５１は、復元用データＣｒの復号処理によって得られた所定の情報を用いて、映像データＤｖの空間解像度を元の８Ｋに高精細化する映像信号処理を実行する。なお、この処理の詳細は後述する。
【００６２】
制御部５４は、ＨＰＤライン及びＣＥＣラインなどにより、セットトップボックス４の制御部４４（図２参照）と接続されている。
制御部５４は、内部バスにより自機のデータ処理部５１及びＨＤＭＩ受信部５２などの各部に接続され、各部を制御することができる。
【００６３】
図３のテレビ受像機５において、ＨＤＭＩ受信部５２、ＨＥＡＣ送受信部５３及び制御部５４よりなるＨＤＭＩの通信インタフェースＩＦ２は、ＨＤＭＩのバーション１．４以後の規格に則った通信インタフェースである。
かかる通信インタフェースでは、ベースバンド伝送のための伝送ライン（ＴＭＤＳラインなど）と、データ通信のための通信ライン（ＨＥＡＣラインなど）を含むＨＤＭＩケーブル９により、データ送信元であるセットトップボックス４と接続される。
【００６４】
〔ソース側の映像信号処理部の構成例〕
図４は、セットトップボックス４のデータ処理部４１に含まれる、ソース側の映像信号処理部６１の一例を示すブロック図である。
図４に示すように、ソース側の映像信号処理部６１は、８Ｋ復号部６２、画像処理部６３及び差分符号化部６４を備える。８Ｋ復号部６２には、ＬＡＮ送受信部４５（図２参照）から情報源符号化データＣｓが入力される。
【００６５】
８Ｋ復号部６２は、情報源符号化データＣｓに含まれる８Ｋ符号化データを復号し、画面解像度が８Ｋである８Ｋ映像データを生成する。生成された８Ｋ映像データは、画像処理部６３に出力される。
画像処理部６３は、入力された８Ｋ映像データの画素を水平及び垂直に１／２ずつ間引く処理などにより、４Ｋ映像データを生成する。生成された４Ｋ映像データは、ＨＤＭＩ送信部４２からＨＤＭＩ受信部５２にベースバンドで伝送される。
【００６６】
このように、ＨＤＭＩ送信部４２により伝送される映像データＤｖは、８Ｋ映像データの空間データ量を削減して生成された４Ｋ映像データよりなる。
また、画像処理部６３は、間引き処理後の４Ｋ映像データを水平及び垂直に２倍ずつアップスケールして、８Ｋサイズの拡大映像データを生成する。そして、画像処理部６３は、８Ｋ映像データと拡大映像データとの差分を取って差分映像データを生成し、生成した差分映像データを差分符号化部６４に出力する。
【００６７】
差分符号化部６４は、入力された差分映像データを所定のデータ圧縮方式（例えば、ＪＰＥＧ、Ｈｕｆｆｙｕｖ又はＭＰＥＧなど）にて符号化することにより、差分符号化データを生成する。
生成された差分符号化データは、ＨＥＡＣ送受信部４３からシンク側のＨＥＡＣ送受信部５３に伝送される。このように、ＨＥＡＣ送受信部４３により伝送される復元用データＣｒは、（８Ｋ−４Ｋ拡大）の差分映像データを符号化した差分符号化データよりなる。
【００６８】
〔シンク側の映像信号処理部の構成例〕
図５は、テレビ受像機５のデータ処理部５１に含まれる、シンク側の映像信号処理部７１の一例を示すブロック図である。
図５に示すように、シンク側の映像信号処理部７１は、映像生成部７２及び差分復号部７３を備える。
【００６９】
ＨＤＭＩ受信部５２は、ソース側から受信した４Ｋサイズの映像データＤｖを映像生成部７２に出力する。ＨＥＡＣ送受信部５３は、ソース側から受信した差分符号化データよりなる復元用データＣｒを差分復号部７３に出力する。
差分復号部７３は、入力された差分符号化データを復号して（８Ｋ−４Ｋ拡大）の差分映像データを再生し、再生した差分映像データを映像生成部７２に出力する。
【００７０】
映像生成部７２は、２つの映像データを画素ごとに加算する加算器を内部に有する。映像生成部７２は、４Ｋ映像データＤｖをアップスケールした拡大映像データを生成し、生成した拡大映像データに（８Ｋ−４Ｋ拡大）の差分映像データを加算して元の８Ｋ映像データを復元し、復元した８Ｋ映像データをディスプレイ（表示部）５５に出力する。
このように、映像生成部７２は、ＨＥＡＣ経由で有効な差分符号化データが受信され、これを復号した差分映像データが供給される場合には、４Ｋ映像データＤｖから復元した８Ｋ映像データをディスプレイ５５に出力する。
【００７１】
もっとも、映像生成部７２は、ＨＥＡＣ経由で有効な差分符号化データが受信できないことなどが原因で、差分復号部７３から差分映像データが供給されない場合には、４Ｋ映像データＤｖをディスプレイ５５に出力する。
このため、差分符号化データなどの復元用データＣｒがないために８Ｋ映像データを出力できない場合であっても、その代わりに４Ｋ映像データをディスプレイ５５に表示させることができる。
【００７２】
本実施形態のテレビ受像機５において、映像生成部７２は、４Ｋ映像データを８Ｋの空間解像度となるようにアップスケールした拡大映像データをバッファ（図示せず）に蓄積することができる。
映像生成部７２は、復元後の８Ｋ映像データを出力している途中に、復元用データＣｒの欠損などのために差分映像データが入力されなくなったり、４Ｋ映像データとの同期が取れなくなったりすると、バッファの拡大映像データをディスプレイ５５に出力する。
【００７３】
このようにすれば、差分映像データが途中でなくなったために、８Ｋ映像データを急に表示できなくなった場合でも、４Ｋ映像データの拡大映像データをディスプレイ５５に表示させることができる。
このため、８Ｋ映像データから４Ｋ映像データの拡大映像データに切り替わることにより、画像品質が若干低下するものの、ユーザーの視聴中に映像が途切れてしまうのを未然に防止することができる。
【００７４】
〔セットトップボックス等の効果〕
本実施形態のセットトップボックス（映像送信装置）４によれば、４Ｋ映像データがＴＭＤＳインにより伝送されるので、４Ｋ映像データをテレビ受像機５にベースバンド伝送することができる。
また、４Ｋ映像データから８Ｋ映像データを復元するのに用いる符号化データである復元用データＣｒがＨＥＡＣラインにより送信されるので、８Ｋ映像データの復元に必要な情報をテレビ受像機５に送信することができる。
【００７５】
このため、上述の通り、テレビ受像機５が４Ｋ映像データと復元用データＣｒを用いて８Ｋ映像データを復元することにより、テレビ受像機５は結果的に８Ｋ映像データを取得することができる。
従って、現状のＨＤＭＩ仕様では、ベースバンド伝送の通信帯域を超える空間解像度である８Ｋ映像データであっても、当該映像データを適切にテレビ受像機５に送信することができる。
【００７６】
本実施形態のセットトップボックス４によれば、データ処理部４１が、４Ｋ映像データ８Ｋにアップスケールした拡大映像データと元の８Ｋ映像データとの差分を符号化した差分符号化データを、復元用データＣｒとして採用している。
このため、８Ｋ映像データを符号化した符号化データを復元用データＣｒとしてＨＥＡＣラインで送信する場合に比べて、ＨＥＡＣラインを用いたデータ通信のデータ量を削減することができる。すなわち、拡大映像データと８Ｋ映像データとの差分を符号化（圧縮）した差分符号化データは、８Ｋ映像データをそのまま符号化した符号化データよりもデータ量が圧倒的に少ないので、ＨＥＡＣラインによりほぼ確実に送信可能となる。
【００７７】
本実施形態のテレビ受像機（映像受信装置）５によれば、データ処理部５１が、復元用データＣｒを用いて４Ｋ映像データから８Ｋ映像データを復元するので、８Ｋ映像データをＴＭＤＳラインからベースバンドで受信しなくても、結果的に８Ｋ映像データを取得することができる。
従って、現状のＨＤＭＩ仕様では、ベースバンド伝送の通信帯域を超える空間解像度である８Ｋ映像データであっても、当該映像データを適切にセットトップボックス４から取得することができる。
【００７８】
本実施形態のテレビ受像機５によれば、データ処理部５１が、差分符号化データを復号して差分（４Ｋ映像データの拡大映像データと８Ｋ映像データの差分）を演算し、演算した差分と４Ｋ映像データとから８Ｋ映像データを復元する。
このため、上記の差分を拡大映像データに加算するだけで、８Ｋ映像データを復元することができ、８Ｋ映像データの復元を簡便に行うことができる。
【００７９】
〔第１の変形例〕
上述の実施形態では、情報源符号化データＣｓに非スケーラブルな８Ｋ符号化データが含まれる場合を想定した。しかし、８Ｋ映像データを復元可能な符号化データは、空間スケーラブルな階層符号化データであってもよい。
例えば、図１の映像配信システムにおいて、４Ｋの空間解像度をベースレイヤとし、８Ｋの空間解像度を拡張レイヤとする階層符号化データの生成機能を、ヘッドエンド１（或いは放送局でもよい。）に設けることにしてもよい。
【００８０】
図６は、ヘッドエンド１の空間階層符号化部９１の一例を示すブロック図である。
図６に示すように、空間階層符号化部９１は、ダウンサンプリング部９３、ベースレイヤ符号化部９４、拡張レイヤ符号化部９５、ローカルデコード部９６及び階層多重化部９７を備えている。
【００８１】
入力信号である８Ｋ映像データは、ダウンサンプリング部９３と拡張レイヤ符号化部９５にそれぞれ入力される。ダウンサンプリング部９３は、８Ｋ映像データの画素を水平及び垂直に１／２ずつ間引く処理などによってダウンサンプリングを行い、空間解像度が４Ｋである４Ｋ映像データを生成する。
ベースレイヤ符号化部９４は、空間階層符号化を行わない通常の符号化器であり、ベースレイヤである４Ｋ映像データの符号化を行う。
【００８２】
ローカルデコード部９６は、ベースレイヤの画像の符号化情報を内部でローカルデコードした映像データを拡大又は伸張して、拡張レイヤの符号化に用いる予測情報を生成する。ローカルデコード部９６は、生成した予測情報を拡張レイヤ符号化部９５に出力する。
拡張レイヤ符号化部９５は、予測情報を用いて８Ｋ映像データの画像（拡張レイヤ）の符号化を行う。階層多重化部９７は、ベースレイヤと拡張レイヤの符号化データを多重化し、空間階層符号化された符号化データをビットストリームとして外部に出力する。
【００８３】
空間階層符号化においては、上位レイヤである拡張レイヤの符号化を行う場合に、下位レイヤであるベースレイヤの予測情報を用いてレイヤ間予測などを行う。これにより、符号化効率を向上させることができる。
この場合の予測情報としては、例えば、イントラテクスチャ予測、動きベクトル予測、及びフレーム間差分予測などの情報が用いられる。
【００８４】
ヘッドエンド１に設けられた空間階層符号化部９１が、生成した階層符号化データをＯＬＴ２（図１参照）に送信すると、階層符号化データはＯＮＵ３を経由してセットトップボックス４に伝送される。
このように、ベースレイヤが４Ｋでかつ拡張レイヤが８Ｋの階層符号化データをセットトップボックス４が取得する場合には、例えば図７に示す映像信号処理部８１をデータ処理部４１に実装すればよい。
【００８５】
すなわち、図７は、セットトップボックス４のデータ処理部４１に含めることができる、ソース側の映像信号処理部８１の変形例を示すブロック図である。
図７に示すように、ソース側の映像信号処理部８１は、データ分離部８２及び４Ｋ復号部８３を備える。データ分離部８２には、ＬＡＮ送受信部４５（図２参照）から情報源符号化データＣｓが入力される。
【００８６】
データ分離部８２は、情報源符号化データＣｓに含まれる階層符号化データを、ベースレイヤ（４Ｋ）の符号化データと拡張レイヤ（８Ｋ）の符号化データに分離する。
データ分離部８２は、ベースレイヤ（４Ｋ）の符号化データを４Ｋ復号部８３に出力する。４Ｋ復号部８３は、入力された４Ｋ符号化データを復号して、４Ｋ映像データを生成する。生成された４Ｋ映像データは、ＨＤＭＩ送信部４２からＨＤＭＩ受信部５２にベースバンドで伝送される。
【００８７】
このように、ＨＤＭＩ送信部４２により伝送される映像データＤｖは、ベースレイヤの４Ｋ符号化データを復号して得られた４Ｋ映像データよりなる。
データ分離部８２は、拡張レイヤ（８Ｋ）の符号化データをＨＥＡＣ送受信部４２に出力する。ＨＥＡＣ送受信部４３は、８Ｋ拡張レイヤの符号化データをＨＥＡＣ送受信部４３からシンク側のＨＥＡＣ送受信部５３に伝送する。このように、ＨＥＡＣ送受信部４３により伝送される復元用データＣｒは、８Ｋ拡張レイヤの符号化データよりなる。
【００８８】
〔第２の変形例〕
図８は、セットトップボックス４のデータ処理部４１に含めることができる、ソース側の映像信号処理部９８の他の変形例を示すブロック図である。
図８に示すように、映像信号処理部９８は、データ判定部９９、第１信号処理部６１及び第２信号処理部８１を備える。
【００８９】
第１信号処理部６１は、前述の図４の映像信号処理部６１と同じ構成であり、第２信号処理部８１は、前述の図７の映像信号処理部８１と同じ構成である。
すなわち、図８の映像信号処理部９８は、非スケーラブルな符号化データである８Ｋ符号化データのための第１信号処理部６１と、空間スケーラブルな符号化データである階層符号化データのための第２信号処理部８１とを、並列に備えている。
【００９０】
データ判定部９９には、ＬＡＮ送受信部４５（図２参照）から情報源符号化データＣｓが入力される。データ判定部９９は、符号化データＣｓの階層構造などから、当該符号化データＣｓが非スケーラブルであるか空間スケーラブルであるかを判定する。
データ判定部９９は、判定結果が「非スケーラブル」である場合は、情報源符号化データＣｓを第１信号処理部６１に出力し、判定結果が「空間スケーラブル」である場合は、情報源符号化データＣｓを第２信号処理部８１に出力する。
【００９１】
図８の映像信号処理部９８によれば、データ判定部９９が、情報源符号化データＣｓの種別に応じて、当該符号化データＣｓを第１信号処理部６１又は第２信号処理部８１のいずれに出力するかを判定するので、非スケーラブル及び空間スケーラブルの双方の符号化データにも対応可能なデータ処理部４１を構成することができる。
【００９２】
〔第３の変形例〕
図９は、ソース側の映像信号処理部１００の更に他の変形例を示すブロック図である。
図９に示すように、映像信号処理部１００は、出力側がＴＭＤＳラインに繋がるベースバンドライン１０１と、出力側がＨＥＡＣラインに繋がるデータ通信ライン１０２を備えている。ベースバンドライン１０１には４Ｋ復号器１０３が設けられている。
【００９３】
ベースバンドライン１０１とデータ通信ライン１０２の入力側には、入力される符号化データの空間解像度に応じて、データ送信先をライン１０１，１０２のいずれかに切り替えるスイッチ１０４が設けられている。
具体的には、スイッチ１０４は、空間解像度が２Ｋ又は４Ｋの符号化データの場合は、データ送信先をベースバンドライン１０１に切り替え、空間解像度が８Ｋの符号化データの場合は、データ送信先をデータ通信ライン１０２に切り替える。
【００９４】
図９の映像信号処理部１００によれば、４Ｋ以下の符号化データについては、復号してＴＭＤＳラインによりベースバンド伝送し、８Ｋ符号化データについては、復号せずに８Ｋ符号化データのままＨＥＡＣラインによりデータ送信するので、８Ｋ符号化データをテレビ受像機５に送信することができる。
従って、図９の映像信号処理部１００の場合でも、８Ｋに関する映像情報を有するデータをテレビ受像機５に伝送することができる。
【００９５】
もっとも、この場合、８Ｋ符号化データは、セットトップボックス４をスルーしてテレビ受像機５にデータ送信されるので、８Ｋ符号化データの圧縮方式にもよるが、８Ｋ符号化データのデータ量が大きい場合には、ＨＥＡＣラインでは通信できない可能性がある。
また、図９の映像信号処理部１００では、８Ｋ符号化データがテレビ受像機５に送信されるので、８Ｋ対応の復号器をテレビ受像機５に搭載する必要がある。
【００９６】
これに対して、上述の実施形態（変形例を含む。）では、４Ｋ映像データから元の８Ｋ映像データを復元するのに用いる復元用データＣｒとして、８Ｋ映像データと４Ｋ映像データを８Ｋに拡大した拡大映像データとの差分を符号化した差分符号化データ、或いは、階層符号化データから抽出した８Ｋ拡張レイヤの符号化データを採用し、これらの符号化データをＨＥＡＣラインで送信するので、ＨＥＡＣラインを利用したデータ通信の伝送量が少なくて済むという利点がある。
【００９７】
〔その他の変形例〕
今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【００９８】
上述の本実施形態では、ＨＤＭＩのソース機器がセットトップボックス４であり、シンク機器がテレビ受像機５の場合を例示したが、ＨＤＭＩケーブル９で接続する機器の組み合わせは、これに限定されない。
例えば、ソース機器は、ＤＶＤプレーヤやビデオカメラなどであってもよい。シンク機器は、ＨＤＭＩ対応の液晶モニターやプロジェクターなどであってもよい。
【００９９】
上述の実施形態では、ベースバンド伝送とデータ通信のラインが１本の通信ケーブルに含まれる通信インタフェースとして、ＨＤＭＩの通信方式を例示したが、ＭＨＬ（Mobile High-definition Link）などのその他の通信インタフェースであってもよい。
【符号の説明】
【０１００】
１  ヘッドエンド
２  光回線終端装置（ＯＬＴ）
３  光回線終端装置（ＯＮＵ）
４  セットトップボックス（映像送信装置）
５  テレビ受像機（映像受信装置）
６  同軸ケーブル
７  光ファイバ
８  ＬＡＮケーブル
９  ＨＤＭＩケーブル
４１  データ処理部
４２  ＨＤＭＩ送信部
４３  ＨＥＡＣ送受信部
４４  制御部
４５  ＬＡＮ送受信部（取得部）
５１  データ処理部
５２  ＨＤＭＩ受信部
５３  ＨＥＡＣ送受信部
５４  制御部
５５  ディスプレイ
５６  スピーカ
６１  映像信号処理部（ソース側）
６２  ８Ｋ復号部
６３  画像処理部
６４  差分符号化部
７１  映像信号処理部（シンク側）
７２  映像生成部
７３  差分復号部
８１  映像信号処理部（ソース側）
８２  データ分離部
８３  ４Ｋ復号部
９１  空間階層符号化部
９３  ダウンサンプリング部
９４  ベースレイヤ符号化部
９５  拡張レイヤ符号化部
９６  拡大伸張部
９７  階層多重化部
９８  映像信号処理部（ソース側）
９９  データ判定部
１００  映像信号処理部
１０１  ベースバンドライン
１０２  データ通信ライン
１０３  ４Ｋ復号器
１０４  スイッチ
ＩＦ１  ＨＤＭＩの通信インタフェース（ソース側）
ＩＦ２  ＨＤＭＩの通信インタフェース（シンク側）
【図１】
2016208397.tif 000003
【図２】
2016208397.tif 000004
【図３】
2016208397.tif 000005
【図４】
2016208397.tif 000006
【図５】
2016208397.tif 000007
【図６】
2016208397.tif 000008
【図７】
2016208397.tif 000009
【図８】
2016208397.tif 000010
【図９】
2016208397.tif 000011